(57)【要約】【課題】  季節に応じて快適な睡眠を得ることができ、季節の変わり目の都度の入替えを容易にする。【解決手段】  立体織物上層１１やウールボア上層２１が基本下層３１に対して装着された状態で寝具として機能する。春夏の季節では、吸湿性に優れた素材が用いられている立体織物上層１１を基本下層３１に対して装着して使用し、一方、秋冬の季節では、保温性に優れた素材が用いられているウールボア上層２１を基本下層３１に対して装着して使用することにより、季節に応じて快適な睡眠を得ることができる。【選択図】  図１
2005118280.tif 000002
【特許請求の範囲】
【請求項１】
上層を着脱するための上層着脱手段が設けられた下層と、
下層を着脱するための下層着脱手段が設けられた上層とを備え、
前記下層着脱手段が前記上層着脱手段に対して着脱されることにより上層が下層に対して着脱可能に構成されると共に、上層が下層に対して装着された状態で寝具として機能するように構成されていることを特徴とする布団。
【請求項２】
請求項１に記載した布団において、
前記上層着脱手段は、下層の上面周縁部に周回するように設けられたファスナーの一部により構成され、
前記下層着脱手段は、上層の下面周縁部に周回するように設けられたファスナーの一部により構成され、
それらファスナーの務歯同士が噛合わされることにより上層が下層に対して装着されることを特徴とする布団。
【請求項３】
請求項２に記載した布団において、
前記上層着脱手段は、スライダーが設けられたファスナーの一部により構成され、
前記下層着脱手段は、スライダーが設けられたファスナーの一部により構成されていることを特徴とする布団。
【請求項４】
請求項１ないし３のいずれかに記載した布団において、
前記上層着脱手段は、下層のヘムから引出されているマチに設けられ、
前記下層着脱手段は、上層のヘムから引出されているマチに設けられていることを特徴とする布団。
【請求項５】
請求項１ないし４のいずれかに記載した布団において、
下層は、マイナス電位や遠赤外線を発生する電床板を収納可能に構成されていることを特徴とする布団。
【請求項６】
請求項１ないし５のいずれかに記載した布団において、
上層は、単体で寝具として機能するように構成されていることを特徴とする布団。
【請求項７】
請求項１ないし６のいずれかに記載した布団において、
下層は、単体で寝具として機能するように構成されていることを特徴とする布団。
【発明の詳細な説明】
【技術分野】
【０００１】
本発明は、寝具として機能する布団に関する。
【背景技術】
【０００２】
従来より、多くの種類の敷布団が供されている（例えば特許文献１参照）。
【特許文献１】特開２０００−５１０１４号公報
【発明の開示】
【発明が解決しようとする課題】
【０００３】
ところで、春夏用の敷布団は、吸湿性（さらさらした感触）が得られるものの、保温性（ふわっとした感触）が得られないのが一般的であり、一方、秋冬用の敷布団は、保温性が得られるものの、吸湿性が得られないのが一般的である。そのため、季節に応じて快適な睡眠を得ようとするためには、例えば春夏用の敷布団と秋冬用の敷布団とを用意し、それら春夏用の敷布団と秋冬用の敷布団とを季節の変わり目で入替えるのが一般的である。しかしながら、このように通年で複数の敷布団を用意するのは、複数の敷布団を季節の変わり目の都度に入替えるのが面倒であるという問題があり、また、使用しない方の敷布団を収納するための収納場所が必要になるという問題もあった。
【０００４】
本発明は、上記した事情に鑑みてなされたものであり、その目的は、季節に応じて快適な睡眠を得ることができ、また、季節の変わり目の都度の入替えを容易にすることができ、さらに、使用しない布団を収納するための収納場所を不要とすることができる布団を提供することにある。
【課題を解決するための手段】
【０００５】
請求項１に記載した発明は、上層を着脱するための上層着脱手段が設けられた下層と、下層を着脱するための下層着脱手段が設けられた上層とを備え、前記下層着脱手段が前記上層着脱手段に対して着脱されることにより上層が下層に対して着脱可能に構成されると共に、上層が下層に対して装着された状態で寝具として機能するように構成されていることに特徴を有する。
【０００６】
請求項２に記載した発明は、請求項１に記載したものにおいて、前記上層着脱手段が下層の上面周縁部に周回するように設けられたファスナーの一部により構成され、前記下層着脱手段が上層の下面周縁部に周回するように設けられたファスナーの一部により構成され、それらファスナーの務歯同士が噛合わされることにより上層が下層に対して装着されることに特徴を有する。
【０００７】
請求項３に記載した発明は、請求項２に記載したものにおいて、前記上層着脱手段が、スライダーが設けられたファスナーの一部により構成され、前記下層着脱手段が、スライダーが設けられたファスナーの一部により構成されていることに特徴を有する。
請求項４に記載した発明は、請求項１ないし３のいずれかに記載したものにおいて、前記上層着脱手段が下層のヘムから引出されているマチに設けられ、前記下層着脱手段が上層のヘムから引出されているマチに設けられていることに特徴を有する。
【０００８】
請求項５に記載した発明は、請求項１ないし４のいずれかに記載したものにおいて、下層がマイナス電位や遠赤外線を発生する電床板を収納可能に構成されていることに特徴を有する。
請求項６に記載した発明は、請求項１ないし５のいずれかに記載したものにおいて、上層が単体で寝具として機能するように構成されていることに特徴を有する。
請求項７に記載した発明は、請求項１ないし６のいずれかに記載したものにおいて、下層が単体で寝具として機能するように構成されていることに特徴を有する。
【発明の効果】
【０００９】
請求項１に記載した発明によれば、下層には上層を着脱するための上層着脱手段が設けられていると共に、上層には下層を着脱するための下層着脱手段が設けられており、下層着脱手段が上層着脱手段に対して着脱されることにより上層が下層に対して着脱可能に構成されると共に、上層が下層に対して装着された状態で寝具として機能するように構成されているので、例えば吸湿性（さらさらした感触）に優れた素材が用いられている上層と保温性（ふわっとした感触）に優れた素材が用いられている上層との２つの上層と、これらのいずれの上層を着脱可能な下層とを用意し、春夏には、吸湿性に優れた素材が用いられている上層を下層に対して装着して使用し、一方、秋冬には、保温性に優れた素材が用いられている上層を下層に対して装着して使用することにより、季節に応じて快適な睡眠を得ることができる。
【００１０】
また、この場合、季節の変わり目では上層を取替えて下層に対して装着すれば良いので、布団全体を入替える従来のものとは異なって、入替えを容易にすることができる。さらに、使用しない上層のみを収納すれば良いので、使用しない布団全体を収納する従来のものとは異なって、使用しない布団を収納するための収納場所を不要とすることができる。
【００１１】
請求項２に記載した発明によれば、上層着脱手段が下層の上面周縁部に周回するように設けられたファスナーの一部により構成され、下層着脱手段が上層の下面周縁部に周回するように設けられたファスナーの一部により構成され、それらファスナーの務歯同士が噛合わされることにより上層が下層に対して装着されるので、ファスナーの務歯同士を噛合わせることにより、上層を下層に対して容易に装着することができ、しかも、それらファスナーの一部が周縁部を周回するように設けられているので、上層と下層との間に埃が侵入してしまうのを未然に回避することができ、清潔に保つことができる。
【００１２】
請求項３に記載した発明によれば、上層着脱手段が、スライダーが設けられたファスナーの一部により構成され、下層着脱手段が、スライダーが設けられたファスナーの一部により構成されているので、例えば一方のスライダーを時計回りに引回すと共に、他方のスライダーを反時計回りに引回すことにより、上層を下層に対して着脱することができ、また、例えばマイナス電位や遠赤外線を発生する電床板を下層に収納する場合であっても、スライダーの位置を自在に移動することができるので、電床板に対して取付けられる取付アダプタから引出されるコードの位置を自在に移動することができる。
【００１３】
請求項４に記載した発明によれば、上層着脱手段が下層のヘムから引出されているマチに設けられ、下層着脱手段が上層のヘムから引出されているマチに設けられているので、上層を下層に対して装着したときに、上層着脱手段および下層着脱手段を上層と下層との間に隠すことができ、見栄えを良くすることができると共に、上層着脱手段および下層着脱手段が身体に直接触れてしまって不快感を与えてしまうことを未然に回避することができる。
【００１４】
請求項５に記載した発明によれば、下層がマイナス電位や遠赤外線を発生する電床板を収納可能に構成されているので、電床板から発生されるマイナス電位の影響により、例えば血液を活性化したり、酸性体質を正常な弱アルカリ性体質に改善したり、頭痛や不眠症や肩こりや慢性便秘を改善したりするなどの電位療法の効能・効果を得ることができ、また、電床板から発生される遠赤外線の影響により、例えば疲労を回復したり、血行を良くしたり、筋肉の凝りをほぐしたり、神経痛や筋肉痛の痛みを緩解したりするなどの温熱療法の効能・効果を得ることができる。
【００１５】
請求項６に記載した発明によれば、上層が単体で寝具として機能するように構成されているので、上層が下層から取外された状態で、上層のみでも布団として使用することができ、使い勝手を高めることができる。
請求項７に記載した発明によれば、下層が単体で寝具として機能するように構成されているので、上層が下層から取外された状態で、下層のみでも布団として使用することができ、使い勝手を高めることができる。
【発明を実施するための最良の形態】
【００１６】
以下、本発明を、敷布団に適用した一実施形態について、図面を参照して説明する。まず、図１は、敷布団の構成を概略的に示している。敷布団は、基本的には、立体織物上層１１（本発明でいう上層）およびウールボア上層２１（本発明でいう上層）のうちのいずれかが基本下層３１（本発明でいう下層）に対して装着された状態で寝具として機能するように構成されている。以下、立体織物上層１１、ウールボア上層２１および基本下層３１の各々について、詳細に説明する。
【００１７】
図２は、立体織物上層１１の全体構成を分解した斜視図で示している。立体織物上層１１は、主に春夏に用いられることを目的とした春夏用の上層であり、図２（ａ）に示すように、上から下に向かって、立体織物１２、不織布１３、フランス羊毛わた１４および羊毛用無地１５が重なって構成されている。立体織物１２は、マイナスイオンを発生する繊維が織込まれて構成されていると共に、その表面が吸湿性（さらさらした感触）に優れた素材から構成されている。つまり、身体が立体織物１２に触れると、さらさらした感触が与えられるようになっている。
【００１８】
これら立体織物１２、不織布１３、フランス羊毛わた１４および羊毛用無地１５は、それらの周縁部がプリント生地からなるヘム１６により一体に織込まれており、ヘム１６の下側にはマチ１７が引出されている。そして、マチ１７にはスライダー１８ａが立体織物上層１１の下面周縁部を周回するようにファスナー１８の一方のテープ１８ｂが縫付けられている。また、これら立体織物１２、不織布１３、フランス羊毛わた１４および羊毛用無地１５は、図２（ｂ）に示すように、格子状にキルティングが施されている（破線がキルティングのパターンを示している）。
【００１９】
図３は、ウールボア上層２１の全体構成を分解した斜視図で示している。ウールボア上層２１は、主に秋冬に用いられることを目的とした秋冬用の上層であり、上記した立体織物上層１１とは最上位の素材のみが異なって構成されている。すなわち、ウールボア層２１は、図３（ａ）に示すように、上から下に向かって、ウールボア２２、不織布２３、フランス羊毛わた２４および羊毛用無地２５が重なって構成されている。ウールボア２２は、その表面が保温性（ふわっとした感触）に優れた素材から構成されている。つまり、身体がウールボア２２に触れると、ふわっとした感触が与えられるようになっている。
【００２０】
これらウールボア２２、不織布２３、フランス羊毛わた２４および羊毛用無地２５は、それらの周縁部がプリント生地からなるヘム２６により一体に織込まれており、ヘム２６の下側にはマチ２７が引出されている。そして、マチ２７にはスライダー２８ａがウールボア上層２１の下面周縁部を周回するようにファスナー２８の一方のテープ２８ｂが縫付けられている。また、これらウールボア２２、不織布２３、フランス羊毛わた２４および羊毛用無地２５も、図３（ｂ）に示すように、格子状にキルティングが施されている（破線がキルティングのパターンを示している）。さらに、この場合、ウールボア上層２１に取付けられているファスナー２８は、上記した立体織物上層１１に取付けられているファスナー１８と同一のものである。
【００２１】
図４は、基本下層３１の全体構成を分解した斜視図で示している。基本下層３１は、上記した立体織物上層１１およびウールボア層２１のいずれもが着脱可能に構成されており、図４（ａ）に示すように、上から下に向かって、プリント生地３２、羊毛用無地３３、不織布３４、フランス羊毛わた３５、芯材３６、フランス羊毛わた３７およびプリント生地３８が重なって構成されている。電床板３９は、プリント生地３２と羊毛用無地３３とから袋状に形成されている電床板収納部４０に対してプリント生地３２に取付けられているファスナー４１を通じて出入可能になっている。
【００２２】
これらプリント生地３２、羊毛用無地３３、不織布３４、フランス羊毛わた３５、芯材３６、フランス羊毛わた３７およびプリント生地３８は、それらの周縁部がプリント生地からなるヘム４２により一体に織込まれており、ヘム４２の上側にはマチ４３が引出されている。マチ４３にはスライダー４４ａが基本下層３１の上面周縁部を周回するようにファスナー４４の一方のテープ４４ｂが縫付けられている。また、これらプリント生地３２、羊毛用無地３３、不織布３４、フランス羊毛わた３５、芯材３６、フランス羊毛わた３７およびプリント生地３８は、図４（ｂ）に示すように、電床板３９を回避するようにキルティングが施されている（破線がキルティングのパターンを示している）。さらに、この場合、基本下層３１に取付けられているファスナー４４は、上記した立体織物上層１１に取付けられているファスナー１８およびウールボア上層２１に取付けられているファスナー２８と同一のものである。
【００２３】
図５は、上記した電床板３９および付属品４５の構成を示している。電床板３９は、その平面の略全体にわたって導体線（電線）３９ａが内蔵されて構成されている。付属品４５は、ユーザが操作するダイヤル４６ａ，４６ｂやユーザに設定値などを視覚的に知らせるための表示部４６ｃが配設されてなるコントローラ４６と、電床板３９に配設されているアダプタ３９ｂに対して着脱可能な取付アダプタ４７と、それらコントローラ４６と取付アダプタ４７とを接続する接続コード４８とを備えて構成されている。この場合、商用電源コンセント４９が商用電源に接続され、且つ、取付アダプタ４７が電床板３９のアダプタ３９ｂに対して装着されている状態では、コントローラ４６の設定に応じて導体線３９ａに電流が流れることにより、導体線３９ａから（電床板３９から）マイナス電位や遠赤外線が発生されるようになっている。
【００２４】
電床板３９から発生されるマイナス電位は、例えば血液を活性化したり、酸性体質を正常な弱アルカリ性体質に改善したり、頭痛や不眠症や肩こりや慢性便秘を改善したりするなどの電位療法の効能・効果がある。また、電床板３９から発生される遠赤外線は、例えば疲労を回復したり、血行を良くしたり、筋肉の凝りをほぐしたり、神経痛や筋肉痛の痛みを緩解したりするなどの温熱療法の効能・効果がある。
【００２５】
尚、以上に説明した構成において、立体織物上層１１、ウールボア上層２１および基本下層３１のサイズは、シングル用では例えば幅「１００（ｃｍ）」（図２〜図４中、Ｗ１〜Ｗ３参照）×長さ「２００（ｃｍ）」（図２〜図４中、Ｌ１〜Ｌ３参照）である。また、電床板３９のサイズは、シングル用では例えば幅「９０（ｃｍ）」（図５中、Ｗ４参照）×長さ「１５０（ｃｍ）」（図５中、Ｌ４参照）である。
【００２６】
上記した構成では、春夏の季節では、立体織物上層１１のファスナー１８の務歯と基本下層３１のファスナー４４の務歯とを噛合わせ、図６（ａ）に示すように、立体織物上層１１を基本下層３１に対して装着することにより、立体織物上層１１と基本下層３１との組合わせを寝具として機能させることができ、吸湿性に優れ、且つ、ある程度の硬さを有する敷布団５１として使用することができる。また、この場合、基本下層３１に電床板３９を収納することにより、マイナス電位や遠赤外線を電床板３９から発生させて身体に与えることができる。さらに、この場合、立体織物上層１１ではファスナー１８がヘム１６から引出されているマチ１７に縫付けられていると共に、基本下層３１ではファスナー４４がヘム４２から引出されているマチ４３に縫付けられているので、立体織物上層１１を基本下層３１に対して装着したときに、それらファスナー１８，４４を立体織物上層１１と基本下層３１との間に隠すことができる。
【００２７】
一方、秋冬の季節では、ウールボア上層２１のファスナー２８の務歯と基本下層３１のファスナー４４の務歯とを噛合わせ、図６（ｂ）に示すように、ウールボア上層２１を基本下層３１に対して装着することにより、ウールボア上層２１と基本下層３１との組合わせを寝具として機能させることができ、保温性に優れ、且つ、ある程度の硬さを有する敷布団５２として使用することができる。また、この場合も、基本下層３１に電床板３９を収納することにより、マイナス電位や遠赤外線を電床板３９から発生させて身体に与えることができる。さらに、この場合も、ウールボア上層２１ではファスナー２８がヘム２６から引出されているマチ２７に縫付けられていると共に、基本下層３１ではファスナー４４がヘム４２から引出されているマチ４３に縫付けられているので、ウールボア上層２１を基本下層３１に対して装着したときに、それらファスナー２８，４４をウールボア上層２１と基本下層３１との間に隠すことができる。
【００２８】
ところで、立体織物上層１１やウールボア上層２１は、それらの下面が羊毛用無地１５，２５で形成されているので、単体でも寝具として機能させることができ、単体でも敷布団として使用することができる。つまり、立体織物上層１１やウールボア上層２１を例えばマットレスや畳などのある程度の硬さを有するものの上面に直接敷いて敷布団として使用することができる。また、基本下層３１は、その上面がプリント生地３２で形成されているので、単体でも寝具として機能させることができ、単体でも敷布団として使用することができる。
【００２９】
以上に説明したように本実施形態によれば、立体織物上層１１やウールボア上層２１に縫付けられているファスナー１８，２８が基本下層３１に縫付けられているファスナー４４に対して着脱されることにより立体織物上層１１やウールボア上層２１が基本下層３１に対して着脱可能に構成すると共に、立体織物上層１１やウールボア上層２１が基本下層３１に対して装着された状態で寝具として機能するように構成したので、春夏の季節では、吸湿性に優れた素材が用いられている立体織物上層１１を基本下層３１に対して装着して使用し、一方、秋冬の季節では、保温性に優れた素材が用いられているウールボア上層２１を基本下層３１に対して装着して使用することにより、季節に応じて快適な睡眠を得ることができる。
【００３０】
また、この場合、季節の変わり目では立体織物上層１１やウールボア上層２１を取替えて基本下層３１に対して装着すれば良いので、布団全体を入替える従来のものとは異なって、入替えを容易にすることができ、さらに、使用しない立体織物上層１１やウールボア上層２１のみを収納すれば良いので、使用しない布団全体を収納する従来のものとは異なって、使用しない布団を収納するための収納場所を不要とすることができる。
【００３１】
また、ファスナー１８，２８，４４の務歯同士を噛合わせることにより、立体織物上層１１やウールボア上層２１を基本下層３１に対して装着することができ、しかも、それらファスナー１８，２８，４４が周縁部を周回するように設けられているので、立体織物上層１１やウールボア上層２１と基本下層３１との間に埃が侵入してしまうのを未然に回避することができ、清潔に保つことができる。
【００３２】
また、例えば立体織物上層１１やウールボア上層２１のスライダー１８ａ，２８ａを時計回りに引回すと共に、基本下層３１のスライダー４４ａを反時計回りに引回すことにより、立体織物上層１１やウールボア上層２１を基本下層３１に対して容易に着脱することができ、電床板３９を基本下層３１に収納する場合であっても、スライダー１８ａ，２８ａ，４４ａの位置を自在に移動することができ、接続コード４８の位置を自在に移動することができる。
【００３３】
また、立体織物上層１１やウールボア上層２１ではファスナー１８，２８がヘム１６，２６から引出されているマチ１７，２７に縫付けられ、基本下層３１ではファスナー４４がヘム４２から引出されているマチ４３に縫付けられているので、立体織物上層１１やウールボア上層２１を基本下層３１に対して装着したときに、ファスナー１８，２８，４４を立体織物上層１１やウールボア上層２１と基本下層３１との間に隠すことができ、見栄えを良くすることができると共に、ファスナー１８，２８，４４が身体に直接触れてしまって不快感を与えてしまうことを未然に回避することができる。
【００３４】
また、電床板３９を基本下層３１に収納することにより、電床板３９から発生されるマイナス電位や遠赤外線の影響により、電位療法や温熱療法の効能・効果を得ることができる。
さらに、立体織物上層１１やウールボア上層２１や基本下層３１が単体でも寝具として機能するように構成したので、立体織物上層１１やウールボア上層２１が基本下層３１から取外された状態で、立体織物上層１１のみ、ウールボア上層２１上層のみ、基本下層３１のみでも布団として使用することができ、使い勝手を高めることができる。
【００３５】
本発明は、上記した実施形態にのみ限定されるものではなく、以下のように変形または拡張することができる。
敷布団に限らず、掛布団に適用する構成であっても良い。
２種類の上層と１種類の下層との組合わせに限らず、３種類以上の上層と１種類の下層との組合わせや、２種類以上の上層と２種類以上の下層との組合わせなどに適用する構成であっても良い。
【００３６】
上層と下層とを着脱する方法としては、ファスナーに限らず、マジックテープやホックなどを用いる構成であっても良い。
電床板を収納する構造が省略されていても良い。また、他のサイズや形状の電床板を収納可能な構成であっても良い。
【図面の簡単な説明】
【００３７】
【図１】本発明の一実施形態を概略的に示す図
【図２】立体織物上層の全体構成を概略的に示す図
【図３】ウールボア上層の全体構成を概略的に示す図
【図４】基本下層の全体構成を概略的に示す図
【図５】電床板の全体構成を概略的に示す図
【図６】立体織物上層が基本下層に対して装着された態様およびウールボア上層が基本下層に対して装着された態様を概略的に示す図
【符号の説明】
【００３８】
図面中、１１は立体織物上層（上層）、１６はヘム、１７はマチ、１８はファスナー、１８ａはスライダー、２１はウールボア上層（上層）、２６はヘム、２７はマチ、２８はファスナー、２８ａはスライダー、３１は基本下層（下層）、３９は電床板、４２はヘム、４３はマチ、４４はファスナー、４４ａはスライダー、５１は敷布団（布団）、５２は敷布団（布団）である。
【図１】
2005118280.tif 000003
【図２】
2005118280.tif 000004
【図３】
2005118280.tif 000005
【図４】
2005118280.tif 000006
【図５】
2005118280.tif 000007
【図６】
2005118280.tif 000008
【手続補正書】
【提出日】平成16年2月5日(2004.2.5)
【手続補正１】
【補正対象書類名】特許請求の範囲
【補正対象項目名】全文
【補正方法】変更
【補正の内容】
【特許請求の範囲】
【請求項１】
上層を着脱するためのファスナーの一部が上面周縁部に周回するように設けられた下層と、
下層を着脱するためのファスナーの一部が下面周縁部に周回するように設けられた上層とを備え、
それらファスナーの務歯同士が噛合わされることにより上層が下層に対して着脱可能に構成されると共に、上層が下層に対して装着された状態で寝具として機能するように構成されていることを特徴とする布団。
【請求項２】
請求項１に記載した布団において、
前記下層のファスナーにはスライダーが設けられ、
前記上層のファスナーにはスライダーが設けられていることを特徴とする布団。
【請求項３】
請求項１または２に記載した布団において、
前記下層のファスナーは、下層のヘムから引出されているマチに設けられ、
前記上層のファスナーは、上層のヘムから引出されているマチに設けられていることを特徴とする布団。
【請求項４】
請求項１ないし３のいずれかに記載した布団において、
下層は、マイナス電位や遠赤外線を発生する電床板を収納可能に構成されていることを特徴とする布団。
【請求項５】
請求項１ないし４のいずれかに記載した布団において、
上層は、単体で寝具として機能するように構成されていることを特徴とする布団。
【請求項６】
請求項１ないし５のいずれかに記載した布団において、
下層は、単体で寝具として機能するように構成されていることを特徴とする布団。
【手続補正２】
【補正対象書類名】明細書
【補正対象項目名】０００５
【補正方法】変更
【補正の内容】
【０００５】
請求項１に記載した発明は、上層を着脱するためのファスナーの一部が上面周縁部に周回するように設けられた下層と、下層を着脱するためのファスナーの一部が下面周縁部に周回するように設けられた上層とを備え、それらファスナーの務歯同士が噛合わされることにより上層が下層に対して着脱可能に構成されると共に、上層が下層に対して装着された状態で寝具として機能するように構成されていることに特徴を有する。
【手続補正３】
【補正対象書類名】明細書
【補正対象項目名】０００６
【補正方法】変更
【補正の内容】
【０００６】
請求項２に記載した発明は、請求項１に記載したものにおいて、前記下層のファスナーにはスライダーが設けられ、前記上層のファスナーにはスライダーが設けられていることに特徴を有する。
【手続補正４】
【補正対象書類名】明細書
【補正対象項目名】０００７
【補正方法】変更
【補正の内容】
【０００７】
請求項３に記載した発明は、請求項１または２に記載したものにおいて、前記下層のファスナーは、下層のヘムから引出されているマチに設けられ、前記上層のファスナーは、上層のヘムから引出されているマチに設けられていることに特徴を有する。
請求項４に記載した発明は、請求項１ないし３のいずれかに記載したものにおいて、下層は、マイナス電位や遠赤外線を発生する電床板を収納可能に構成されていることに特徴を有する。
【手続補正５】
【補正対象書類名】明細書
【補正対象項目名】０００８
【補正方法】変更
【補正の内容】
【０００８】
請求項５に記載した発明は、請求項１ないし４のいずれかに記載したものにおいて、上層は、単体で寝具として機能するように構成されていることに特徴を有する。
請求項６に記載した発明は、請求項１ないし５のいずれかに記載したものにおいて、下層は、単体で寝具として機能するように構成されていることに特徴を有する。
【手続補正６】
【補正対象書類名】明細書
【補正対象項目名】０００９
【補正方法】変更
【補正の内容】
【０００９】
請求項１に記載した発明によれば、下層には上層を着脱するためのファスナーの一部が上面周縁部に周回するように設けられていると共に、上層には下層を着脱するためのファスナーの一部が下面周縁部に周回するように設けられており、それらファスナーの務歯同士が噛合わされることにより上層が下層に対して着脱可能に構成されると共に、上層が下層に対して装着された状態で寝具として機能するように構成されているので、例えば吸湿性（さらさらした感触）に優れた素材が用いられている上層と保温性（ふわっとした感触）に優れた素材が用いられている上層との２つの上層と、これらのいずれの上層を着脱可能な下層とを用意し、春夏には、吸湿性に優れた素材が用いられている上層を下層に対して装着して使用し、一方、秋冬には、保温性に優れた素材が用いられている上層を下層に対して装着して使用することにより、季節に応じて快適な睡眠を得ることができる。
【手続補正７】
【補正対象書類名】明細書
【補正対象項目名】００１０
【補正方法】変更
【補正の内容】
【００１０】
また、この場合、季節の変わり目では上層を取替えて下層に対して装着すれば良いので、布団全体を入替える従来のものとは異なって、入替えを容易にすることができる。さらに、使用しない上層のみを収納すれば良いので、使用しない布団全体を収納する従来のものとは異なって、使用しない布団を収納するための収納場所を不要とすることができる。しかも、それらファスナーの一部が周縁部を周回するように設けられているので、上層と下層との間に埃が侵入してしまうのを未然に回避することができ、清潔に保つことができる。
【手続補正８】
【補正対象書類名】明細書
【補正対象項目名】００１１
【補正方法】変更
【補正の内容】
【００１１】
請求項２に記載した発明によれば、下層のファスナーにはスライダーが設けられ、上層のファスナーにはスライダーが設けられているので、例えば一方のスライダーを時計回りに引回すと共に、他方のスライダーを反時計回りに引回すことにより、上層を下層に対して着脱することができ、また、例えばマイナス電位や遠赤外線を発生する電床板を下層に収納する場合であっても、スライダーの位置を自在に移動することができるので、電床板に対して取付けられる取付アダプタから引出されるコードの位置を自在に移動することができる。
【手続補正９】
【補正対象書類名】明細書
【補正対象項目名】００１２
【補正方法】変更
【補正の内容】
【００１２】
請求項３に記載した発明によれば、下層のファスナーは、下層のヘムから引出されているマチに設けられ、上層のファスナーは、上層のヘムから引出されているマチに設けられているので、上層を下層に対して装着したときに、ファスナーを上層と下層との間に隠すことができ、見栄えを良くすることができると共に、ファスナーが身体に直接触れてしまって不快感を与えてしまうことを未然に回避することができる。
【手続補正１０】
【補正対象書類名】明細書
【補正対象項目名】００１３
【補正方法】変更
【補正の内容】
【００１３】
請求項４に記載した発明によれば、下層がマイナス電位や遠赤外線を発生する電床板を収納可能に構成されているので、電床板から発生されるマイナス電位の影響により、例えば血液を活性化したり、酸性体質を正常な弱アルカリ性体質に改善したり、頭痛や不眠症や肩こりや慢性便秘を改善したりするなどの電位療法の効能・効果を得ることができ、また、電床板から発生される遠赤外線の影響により、例えば疲労を回復したり、血行を良くしたり、筋肉の凝りをほぐしたり、神経痛や筋肉痛の痛みを緩解したりするなどの温熱療法の効能・効果を得ることができる。
【手続補正１１】
【補正対象書類名】明細書
【補正対象項目名】００１４
【補正方法】変更
【補正の内容】
【００１４】
請求項５に記載した発明によれば、上層が単体で寝具として機能するように構成されているので、上層が下層から取外された状態で、上層のみでも布団として使用することができ、使い勝手を高めることができる。
【手続補正１２】
【補正対象書類名】明細書
【補正対象項目名】００１５
【補正方法】変更
【補正の内容】
【００１５】
請求項６に記載した発明によれば、下層が単体で寝具として機能するように構成されているので、上層が下層から取外された状態で、下層のみでも布団として使用することができ、使い勝手を高めることができる。
【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
上層を着脱するためのファスナーの一部が上面周縁部に周回するように設けられた下層と、
下層を着脱するためのファスナーの一部が下面周縁部に周回するように設けられた上層とを備え、
それらファスナーの務歯同士が噛合わされることにより上層が下層に対して着脱可能に構成されると共に、上層が下層に対して装着された状態で寝具として機能するように構成されていることを特徴とする敷布団。
【請求項２】
請求項１に記載した敷布団において、
前記下層のファスナーにはスライダーが設けられ、
前記上層のファスナーにはスライダーが設けられていることを特徴とする敷布団。
【請求項３】
請求項１または２に記載した敷布団において、
前記下層のファスナーは、下層のヘムから引出されているマチに設けられ、
前記上層のファスナーは、上層のヘムから引出されているマチに設けられていることを特徴とする敷布団。
【請求項４】
請求項１ないし３のいずれかに記載した敷布団において、
下層は、マイナス電位や遠赤外線を発生する電床板を収納可能に構成されていることを特徴とする敷布団。
【請求項５】
請求項１ないし４のいずれかに記載した敷布団において、
上層は、単体で寝具として機能するように構成されていることを特徴とする敷布団。
【請求項６】
請求項１ないし５のいずれかに記載した敷布団において、
下層は、単体で寝具として機能するように構成されていることを特徴とする敷布団。
【手続補正３】
【補正対象書類名】明細書
【補正対象項目名】０００１
【補正方法】変更
【補正の内容】
【０００１】
本発明は、寝具として機能する敷布団に関する。
【手続補正４】
【補正対象書類名】明細書
【補正対象項目名】０００４
【補正方法】変更
【補正の内容】
【０００４】
本発明は、上記した事情に鑑みてなされたものであり、その目的は、季節に応じて快適な睡眠を得ることができ、また、季節の変わり目の都度の入替えを容易にすることができ、さらに、使用しない布団を収納するための収納場所を不要とすることができる敷布団を提供することにある。
【手続補正５】
【補正対象書類名】明細書
【補正対象項目名】００３５
【補正方法】変更
【補正の内容】
【００３５】
本発明は、上記した実施形態にのみ限定されるものではなく、以下のように変形または拡張することができる。
２種類の上層と１種類の下層との組合わせに限らず、３種類以上の上層と１種類の下層との組合わせや、２種類以上の上層と２種類以上の下層との組合わせなどに適用する構成であっても良い。
【手続補正６】
【補正対象書類名】明細書
【補正対象項目名】００３８
【補正方法】変更
【補正の内容】
【００３８】
図面中、１１は立体織物上層（上層）、１６はヘム、１７はマチ、１８はファスナー、１８ａはスライダー、２１はウールボア上層（上層）、２６はヘム、２７はマチ、２８はファスナー、２８ａはスライダー、３１は基本下層（下層）、３９は電床板、４２はヘム、４３はマチ、４４はファスナー、４４ａはスライダー、５１は敷布団、５２は敷布団である。